(57)【要約】【課題】  外的動力である水力を加えることによって長時間作動し、その外的動力を増強することのできる装置を提供する。【解決手段】  複数の水車体１１によって構成され、上方から供給される外的動力である水Ｗの水力によって回転する水車群１０と、水車群１０の直下に設けられ、回転車体３０と錘体４０を備える装置本体２０とで構成する。回転車体３０は、水車群１０を通過した水Ｗの水力や水車群１０の回転力によって、その中心に設けられた回転軸３１を中心に回転し、その回転力を回転軸３１を介して外部機関に伝達する。錘体４０は、回転車体３０の内側に径方向に自重や水Ｗの重力によって落下自在に設けられ、その落下力を無端チェーンＣを介して回転軸３１に回転力として伝達する。【選択図】    図１
0003168342.tif 000002
【実用新案登録請求の範囲】
【請求項１】
外的動力を加えることによって長時間作動し，前記外的動力を増強する装置であって、複数の水車体（１１）によって構成され，上方から供給される前記外的動力である水（Ｗ）の水力によって回転する水車群（１０）と、前記水車群の直下に設けられた装置本体（２０）とを備え、前記装置本体が、前記水車群を通過した水の水力や前記水車群の回転力によって，中心に設けられた回転軸（３１）を中心に回転し，その回転力を，前記回転軸を介して外部機関（６０）に伝達する回転車体（３０）と、該回転車体の内側に径方向に自重や水の重力によって落下自在に設けられ，その落下力を無端チェーン（Ｃ）を介して前記回転軸に回転力として伝達する錘体（４０）と、を備えることを特徴とする動力増強装置。
【考案の詳細な説明】
【技術分野】
【０００１】
本考案は、外的動力を加えることによって長時間作動し、その外的動力を増強して外部機関に提供する装置に関するものである。
【背景技術】
【０００２】
従来から水力を利用して水車を回転させ、その回転力を使って他の動力機関（例えば、発電機）を作動させる技術が存在する。
【０００３】
こうした従来の技術は、水力のみで回転力を発生させるので、十分に大きな回転力を得るためには膨大な水力を必要とする。従って、非効率的であり、また、非経済的である。
【０００４】
なお、水を利用した動力増強装置としては、例えば、特許文献１に記載のものが存在する。
【先行技術文献】
【特許文献】
【０００５】
【特許文献１】特開２００３−１４８３２０号公報
【考案の概要】
【考案が解決しようとする課題】
【０００６】
上記したように、従来の技術は、水力のみで回転力を発生させるので、非効率的で、非経済的である。従って、少ない水力から増強した回転力を効率的に得ることが望まれる。本考案はこうした点に鑑み創案されたもので、外的動力である水力を加えることによって長時間作動し、その外的動力を効率的に増強して外的機関に提供することのできる動力増強装置を提供することを課題とする。
【課題を解決するための手段】
【０００７】
図１乃至図９を参照して説明する。請求項１に記載の動力増強装置１は、外的動力を加えることによって長時間にわたって作動し、前記外的動力を増強する装置であって、複数の水車体１１によって構成され、上方から供給される前記外的動力である水Ｗの水力によって回転する水車群１０と、前記水車群１０の直下に設けられた装置本体２０とを備える。
【０００８】
そして、前記装置本体２０が、前記水車群１０を通過した水Ｗの水力や前記水車群１０の回転力によって、中心に設けられた回転軸３１を中心に回転し、その回転力を、前記回転軸３１を介して外部機関６０に伝達する回転車体３０と、その回転車体３０の内側に径方向に自重や水Ｗの重力によって落下自在に設けられ、その落下力を、無端チェーンＣを介して前記回転軸３１に回転力として伝達する錘体４０と、を備えるものである。
【考案の効果】
【０００９】
請求項１に記載の動力増強装置１は、水車群１０を通過した外的動力である水Ｗの水力と、水車群１０の回転力と、錘体４０の落下力によって、回転車体３０を、その回転軸３１を中心に回転させる。従って、長時間、その回転軸３１の回転力を効率的に増強させて、外部機関６０に伝達することができる。
【図面の簡単な説明】
【００１０】
【図１】本考案の第一実施形態に係る動力増強装置を示す概略正面図である。
【図２】本考案の第一実施形態に係る動力増強装置を示す一部概略側面図である（装置本体を示す）。
【図３】本考案の第一実施形態に係る動力増強装置の一部拡大概略正面図である（錘体の動きを示す）。
【図４】本考案の第二実施形態に係る動力増強装置を示す概略正面図である。
【図５】本考案の第二実施形態に係る動力増強装置の錘体を示す縦断面図である。
【図６】本考案の第二実施形態に係る動力増強装置における錘体の動きを示す概略正面図である。
【図７】図６に示す錘体の動きを、より明確に示す概略正面図である。
【図８】錘体の動きにおける他の態様を示す概略正面図である。
【図９】本考案の第二実施形態に係る動力増強装置を示す一部拡大概略正面図である（水溜部とカム機構の関係を示す）。
【考案を実施するための形態】
【００１１】
本考案に係る動力増強装置１の第一実施形態を、図１乃至図３に示す。この装置１は、外的動力を加えることによって長時間作動し、その外的動力を効率的に増強して外部機関６０に伝達するものである。この装置１は、水車群１０と装置本体２０とを備える。
【００１２】
水車群１０は、縦に三段に並べた水車体１１を左右に二つ設け、六つの水車体１１で構成したいわゆる六連水車であり、上方から供給される外的動力である水Ｗの水力（水の落下時の衝撃力及び／又は水の重量。以下同じ）によって同期して回転する。この六つの水車体１１は、それぞれ、無端状の第一連動チェーンＣ１（一点鎖線と点線で示す）で連動されている。なお、各水車体１１の回転方向は、一方向軸受の使用や歯車の組合せによって、時計回り方向や反時計回り方向に自在に調整することができる。
【００１３】
装置本体２０は、水車群１０の直下に設けられ、回転車体３０と、複数の錘体４０とで構成される。そのうち、回転車体３０は、水車体１１より大径に形成され、水車群１０を通過した水Ｗの水力と、水車群１０の回転力とによって、その中心に設けられた回転軸３１を中心に回転する。
【００１４】
水車群１０の回転力は、二つの連動ギヤＧ２と四本の無端状である第二連動チェーンＣ２とで構成される伝動機構５０によって、回転車体３０に伝達される。回転車体３０の回転力は、図２に示すように、その回転軸３１から、回転伝達ホイール３２を介して外部機関６０（例えば、発電機）に伝達される。
【００１５】
錘体４０は、図２および図３に示すように、回転車体３０の内側に径方向に向かって、自重によって落下するように設けられ、その落下力を無端チェーンＣ（一点鎖線で示す）から、回転伝達ホイール３２を介して、回転軸３１に回転力として伝達する。本実施形態では、二つの無端チェーンＣを平行に設け、錘体４０を、各無端チェーンＣの二本のチェーンの内、その一方に固定部４１ａによって固定している。
【００１６】
また、各無端チェーンＣは、一方向軸受Ｂを備えた回転ギヤＧ１に係合させ、この回転ギヤＧ１と回転伝達ホイール３２とを第三連動チェーンＣ３（点線と二点鎖線で示す）で連動している。本実施形態では、６個の回転ギヤＧ１に、回転車体３０の外部にまで延びるシャフト３３を取付け、そのシャフト３３の先端部に回転伝達ホイール３２を設けている（図２参照）。
【００１７】
これにより、錘体４０による落下力を、一方の無端チェーンＣと他方の無端チェーンＣとを交互に介して、回転車体３０の回転軸３１に、回転ギヤＧ１および第三連動チェーンＣ３を介して伝達している。すなわち、錘体４０が落下する際、二つの無端チェーンＣはそれぞれ逆方向に回転する。ここで、各無端チェーンＣが係合する回転ギヤＧ１には一方向軸受Ｂが設けられているので、二つの無端チェーンＣの内、その一方の回転力のみが回転伝達ホイール３２（回転軸３１）に伝達され、他方は空回りする。
【００１８】
この錘体４０から発生する回転力も、回転車体３０の回転伝達ホイール３２および回転軸３１を介して外部機関６０に伝達される。なお、本実施形態では、三つの錘体４０を設け、それぞれを、等間隔に配置した三つのガイド部４８のそれぞれに沿って落下するように設定している。
【００１９】
本実施形態に係る動力増強装置１は、次のように稼動させることができる。まず、水Ｗを、水車群１０の上から供給する。これにより、各水車体１１が、当該水Ｗの水力によって回転し、その回転力を、伝動機構５０を介して回転車体３０に伝達する。これに伴い、回転車体３０が回転する。
【００２０】
また、この回転車体３０は、水車群１０から落下してきた水Ｗを受け、その水力によっても回転する。さらに、錘体４０が、回転車体３０の回転と共に上昇移動して、当該回転車体３０の上部に達した状態から、その自重によって落下する。その際、無端チェーンＣおよび第三連動チェーンＣ３を介して回転車体３０の回転伝達ホイール３２および回転軸３１を高速で回転させる。
【００２１】
こうした動作を、三つの錘体４０が順次、繰り返す。従って、回転軸３１には、ほぼ連続して錘体４０からの回転力が伝達される。その結果、水車群１０に供給された水Ｗの水力を、大幅に増強させた動力（回転力）として外部機関６０に提供することができる。
【００２２】
なお、水車群１０に供給する水Ｗは、各種のものが考えられる。例えば、滝や川などの自然水や水道水などである。また、回転車体３０の直下に水受容器５１を設け、そこに溜まった水Ｗをポンプ５２で汲み上げ、放水部５５から六連水車１０に供給することもできる。
【００２３】
本考案に係る動力増強装置１の第二実施形態を、図４乃至図９に示す。この装置１も水車群１０と装置本体２０とを備える。水車群１０は、上方から供給される外的動力である水Ｗの水力によって回転する。本実施形態における水車群１０は、左右に離隔して設けた二つの水車体１１によって構成される。
【００２４】
装置本体２０は、水車群１０の直下に設けられ、回転車体３０と錘体４０とで構成される。回転車体３０は、水車群１０を通過した水Ｗの水力と、水車群１０の回転力とによって、中心に設けられた回転軸３１を中心に回転し（毎分４回転程度の低速回転）、その回転力を、図２に示す第一実施形態と同様に、発電機などの外部機関６０に伝達する。水車群１０の回転力は、連動ギヤＧ２と三つの第二連動チェーンＣ２とで構成される伝動機構５０によって、回転軸３１に伝達される。この第二連動チェーンＣ２は、図４に示すように、二つの水車体１１と、その間に設けられた連動ギヤＧ２、および当該連動ギヤＧ２と回転軸３１（回転伝達ホイール３２）との間に設けられている。
【００２５】
錘体４０は、回転車体３０の内側に、径方向に沿って、その自重と水Ｗの重力とによって落下するように設けられ、その落下力を、図３に示す第一実施形態と同様に、無端チェーンＣおよび回転伝達ホイール３２を介して回転軸３１に回転力として伝達する。本第二実施形態でも三つの錘体４０を設け、それぞれを、等間隔で径方向に設けた三つのガイド部４８のそれぞれに沿って取付けている。
【００２６】
また、各錘体４０は、図５に示すように、上端と下端に第一開口部４３および第二開口部４４を備えた箱体４２の内部に、当該第一開口部４３および第二開口部４４を塞ぐ大きさの第一栓部材４５および第二栓部材４６を、第一開口部４３および第二開口部４４から突出する長さの軸部４７に設けて構成される。
【００２７】
従って、第一開口部４３から水Ｗが供給される際には、第二栓部材４６が第二開口部４４を塞いでおり、この状態から錘体４０が落下すると、軸部４７が、その下端が所定部位に突き当たることによって上昇し、これにより、第二栓部材４６も上昇し、第二開口部４４が開放され、水Ｗが排出される。
【００２８】
なお、第二実施形態においては、図６および図７に示すように、第一実施形態とは異なり、三つの錘体４０のそれぞれが固定されている二つの無端チェーンＣの内、一方の無端チェーンＣの回転ギヤＧ１（合計３個）同士を、回転伝達ホイール３２を介在させた状態で、二本の第四連動チェーンＣ４（点線および一点鎖線で示す）のそれぞれによって無端状に連結している。これによって、上方に位置する二つの錘体４０が降下することによって、下位に位置する残りの一つの錘体４０が上昇するように設定している。
なお、この錘体４０の動きは、図８に示すように、１本の第四連動チェーンＣ４で回転ギヤＧ１を連結することによっても、同様に行うことができる。
【００２９】
さらに、本実施形態では、図９に示すように、各水車体１１の直下に水溜部５３を傾動自在に設け、水車体１１と連動して稼動するカム機構５４によって傾き、内部に溜まった水Ｗを一気に錘体４０の内部に供給するように設定している。
【００３０】
本実施形態に係る動力増強装置１は、次のように作動する。まず、水車群１０を構成する二つの水車体１１のそれぞれに水Ｗを供給する。これにより、水車体１１が回転し、その回転力が伝動機構５０を介して回転車体３０に伝達され、回転軸３１が回転する。水車体１１を回転させた水Ｗは、水溜部５３に溜まる。
【００３１】
回転車体３０の回転に伴い二つの錘体４０が上昇して、それぞれが対応する水車体１１の直下に位置すると、カム機構５４によって水溜部５３が傾き、内部の水Ｗが錘体４０の内部に流れ込む。これにより、錘体４０は、その自重と水Ｗの重力とによってガイド部４８に沿って降下する。
【００３２】
この際、図３に示す第一実施形態と同様に、錘体４０が連結されている無端チェーンＣ、回転ギヤＧ１および第三連動チェーンＣ３を介して、回転車体３０の回転軸３１が高速で回転する。これにより、水車群１０に供給された水Ｗの水力が増強され、回転軸３１を介して外部機関６０に伝達される。
【００３３】
なお、装置本体２０の直下に水受容器５１およびポンプ５２を設け、その水受容器５１に溜まった水Ｗをポンプ５２によって汲み上げ、放水部５５から水車群１０に供給することができる。
【符号の説明】
【００３４】
１        動力増強装置
１０      水車群
１１      水車体
２０      装置本体
３０      回転車体
３１      回転軸
３２      回転伝達ホイール
３３      シャフト
４０      錘体
４１ａ    固定部
４２      箱体
４３      第一開口部
４４      第二開口部
４５      第一栓部材
４６      第二栓部材
４７      軸部
４８      ガイド部
５０      伝動機構
５１      水受容器
５２      ポンプ
５３      水溜部
５４      カム機構
５５      放水部
６０      外部機関
Ｂ        一方向軸受
Ｃ        無端チェーン
Ｃ１      第一連動チェーン
Ｃ２      第二連動チェーン
Ｃ３      第三連動チェーン
Ｃ４      第四連動チェーン
Ｇ１      回転ギヤ
Ｇ２      連動ギヤ
Ｗ        水
【図１】
0003168342.tif 000003
【図２】
0003168342.tif 000004
【図３】
0003168342.tif 000005
【図４】
0003168342.tif 000006
【図５】
0003168342.tif 000007
【図６】
0003168342.tif 000008
【図７】
0003168342.tif 000009
【図８】
0003168342.tif 000010
【図９】
0003168342.tif 000011